(57)【要約】【課題】幼児、小児、高齢者、障害者、介護が必要な人の口腔ケアでは、歯の裏側を磨くのに従来の歯ブラシでは毛先が届かない場所ができたり、ブラッシングするのが、難しかったり、時間がかかったりする。安全且つ使いやすく短時間に容易に歯の表側を磨くと同時に裏側を磨ける歯ブラシを提供する。【解決手段】柄から２つの頸部が斜めに分岐し、頸部に付いた２つのヘッド・ブラシ部分が相対するツインヘッドの歯ブラシである。【選択図】図１
2015006297.tif 000002
【特許請求の範囲】
【請求項１】
柄から２つの頸部が斜めに分岐し、２つヘッド・ブラシ部分が１８０°相対し、ブラシの部分の長さが０．５〜１．５ｃｍであり、お互いのブラシの毛先部分の間隔が、０．０〜１．０ｃｍである相対するツインヘッドの歯ブラシである。
【請求項２】
柄から２つの頸部が斜めに分岐し、２つヘッド・ブラシ部分が１８０°相対し、柄の部分が長さ８〜１２ｃｍ、幅１〜１．５ｃｍ、厚さ０．４〜２ｃｍであり、斜めに分岐した頸部が長さ１．５〜６ｃｍ、幅０．２〜０．８ｃｍ、厚さ０．２〜０．８ｃｍであり、ヘッド部分が長さ１．２〜４ｃｍ、幅０．５〜１．５ｃｍ、厚さ０．２〜０．８ｃｍであり、ブラシの部分の長さが０．５〜１．５ｃｍであり、お互いのブラシの毛先部分の間隔が、０．０〜１．０ｃｍである相対するツインヘッドの歯ブラシである。
【請求項３】
柄から２つの頸部が斜めに分岐し、２つヘッド・ブラシ部分が１８０°相対し、柄の部分が長さ１０〜１２ｃｍ、幅１〜１．５ｃｍ、厚さ０．４〜２ｃｍであり、斜めに分岐した頸部が長さ１．５〜３ｃｍ、幅０．２〜０．５ｃｍ、厚さ０．２〜０．５ｃｍであり、ヘッド部分が長さ１．２〜２．５ｃｍ、幅０．５〜１．５ｃｍ、厚さ０．２〜０．６ｃｍであり、植毛面は、角が丸くなった平行四辺形状であり、斜めの植毛穴が１５〜３０穴であり、ブラシの部分の長さが０．５〜０．８ｃｍであり、お互いのブラシの毛先部分の間隔が、０．１〜０．３ｃｍである相対するツインヘッドの歯ブラシである。
【請求項４】
柄から２つの頸部が斜めに分岐し、２つヘッド・ブラシ部分が１８０°相対し、柄の部分が長さ１０〜１２ｃｍ、幅１〜１．５ｃｍ、厚さ０．４〜２ｃｍであり、斜めに分岐した頸部が長さ１．５〜３ｃｍ、幅０．２〜０．５ｃｍ、厚さ０．２〜０．５ｃｍであり、ヘッド部分が長さ１．２〜２．５ｃｍ、幅０．５〜１．５ｃｍ、厚さ０．２〜０．６ｃｍであり、植毛面は、角が丸くなった平行四辺形状であり、斜めの植毛穴が１５〜１６穴であり、ブラシの部分の長さが０．５〜０．８ｃｍであり、お互いのブラシの毛先部分の間隔が、０．１〜０．３ｃｍである相対するツインヘッドの歯ブラシである。
【発明の詳細な説明】
【発明の詳細な説明】
【技術分野】
【０００１】本発明は、歯の表側と裏側を同時に効率よく磨くことができる相対するツインヘッドの歯ブラシに関するものである。
【背景技術】
【０００２】従来、歯の表側や裏側を磨きやすくするためや歯と歯茎を効果的にクリーニングするため種々の形状が提案されている。例えば、特許文献１、特許文献２、特許文献３では平行する２本の分離したブラシ部分を有する歯ブラシが開発されている。特許文献１は２つの左右のブラシ部は、歯や歯肉などの口腔組織の複雑な形態に応じてそれぞれ独立的に且つ弾力的に上下に変位して歯を刷掃することができることを特徴としている。特許文献２は、ブラシ部をバーの両サイドにつけることで歯の裏側を磨きやすくしている。特許文献３は、ペアのハンドル、ネック、ヘッドからなるツインヘッドの歯ブラシで歯と歯茎を効果的にクリーニングできるとしている。２つのブラシ部分に角度をつけた歯ブラシとして、特許文献４と特許文献５が知られている。特許文献４は、１本の歯ブラシ本体から頸部がＵ字状に曲折し、ヘッドのブラシ部分が互いに直角に設けられており、歯の裏側を磨くとき、特に歯垢や歯石がたまりやすい前歯の裏側に平行に接触して歯磨きができるので効率が良いと記述している。特許文献５では、左右に等分された二股ヘッドは、円錐形のホゾと柄と継ぎ合わせたもので、斜めに向かい合った六角形のブラシヘッドを互いに一定の角度を保つことにより、自然なブラッシングが可能になり，障害者や子供にも適していると記述している。しかしながら、安全且つ使いやすく容易に歯の表側と裏側を同時に磨くことができる歯ブラシはない。
【先行技術文献】
【特許文献】
【０００３】
【特許文献１】特開平７−７５６０７
【特許文献２】特開２００１−３７５４３
【特許文献３】ＵＳ２００５／０２４６６８４７Ａ１
【特許文献４】特開平９−１８７３１８
【特許文献５】ＥＰ０９６８６７２Ａ２
【発明の概要】
【発明が解決しようとする課題】
【０００４】幼児、小児、高齢者、障害者、介護が必要な人の口腔ケアでは、歯の裏側を磨くのに従来の歯ブラシでは毛先が届かない場所ができたり、ブラッシングするのが、難しかったり、時間がかかったりするので、安全且つ使いやすく短時間に容易に歯の表側を磨くと同時に裏側を磨ける歯ブラシが望まれていた。本発明は、これらの課題を解決することを目的とする。
【課題を解決するための手段】
【０００５】これらの課題を解決するために開発した、相対するツインヘッドの歯ブラシは、柄、頸部、ヘッド、ブラシからなり、
１．柄から２つの頸部が斜めに分岐し、２つヘッド・ブラシ部分が１８０°相対し、ブラシの部分の長さが０．５〜１．５ｃｍであり、お互いのブラシの毛先部分の間隔が、０．０〜１．０ｃｍである相対するツインヘッドの歯ブラシである。
２．柄から２つの頸部が斜めに分岐し、２つヘッド・ブラシ部分が１８０°相対し、柄の部分が長さ８〜１２ｃｍ、幅１〜１．５ｃｍ、厚さ０．４〜２ｃｍであり、斜めに分岐した頸部が長さ１．５〜６ｃｍ、幅０．２〜０．８ｃｍ、厚さ０．２〜０．８ｃｍであり、ヘッド部分が長さ１．２〜４ｃｍ、幅０．５〜１．５ｃｍ、厚さ０．２〜０．８ｃｍであり、ブラシの部分の長さが０．５〜１．５ｃｍであり、お互いのブラシの毛先部分の間隔が、０．０〜１．０ｃｍである相対するツインヘッドの歯ブラシである。
３．柄から２つの頸部が斜めに分岐し、２つヘッド・ブラシ部分が１８０°相対し、柄の部分が長さ１０〜１２ｃｍ、幅１〜１．５ｃｍ、厚さ０．４〜２ｃｍであり、斜めに分岐した頸部が長さ１．５〜３ｃｍ、幅０．２〜０．５ｃｍ、厚さ０．２〜０．５ｃｍであり、ヘッド部分が長さ１．２〜２．５ｃｍ、幅０．５〜１．５ｃｍ、厚さ０．２〜０．６ｃｍであり、植毛面は、角が丸くなった平行四辺形状であり、斜めの植毛穴が１５〜３０穴であり、ブラシの部分の長さが０．５〜０．８ｃｍであり、お互いのブラシの毛先部分の間隔が、０．１〜０．３ｃｍである相対するツインヘッドの歯ブラシである。
４．柄から２つの頸部が斜めに分岐し、２つヘッド・ブラシ部分が１８０°相対し、柄の部分が長さ１０〜１２ｃｍ、幅１〜１．５ｃｍ、厚さ０．４〜２ｃｍであり、斜めに分岐した頸部が長さ１．５〜３ｃｍ、幅０．２〜０．５ｃｍ、厚さ０．２〜０．５ｃｍであり、ヘッド部分が長さ１．２〜２．５ｃｍ、幅０．５〜１．５ｃｍ、厚さ０．２〜０．６ｃｍであり、植毛面は、角が丸くなった平行四辺形状であり、斜めの植毛穴が１５〜１６穴であり、ブラシの部分の長さが０．５〜０．８ｃｍであり、お互いのブラシの毛先部分の間隔が、０．１〜０．３ｃｍである相対するツインヘッドの歯ブラシである。
【発明の効果】
【０００６】前歯からブラシの毛先の届きにくい臼歯まで表側と裏側を同時に磨くことができ、特に食べかすや歯垢や歯石がたまりやすい前歯の裏側を表側の歯磨きと同時に歯磨きができる効率の良いものである。また、頸部が分岐しているため弾力性に富み、より自然なブラッシングができる。
【図面の簡単な説明】
【０００７】
【図１】本発明の側面図である。
【図２】本発明の使用図である。
【図３】本発明の植毛面図である。
【図４】本発明の植毛面図である。
【発明を実施するための形態】
【０００８】次に、本発明の実施形態にかかるところの相対するツインヘッドの歯ブラシについて、以下に図面を参照して説明する。
図１は、本発明の一実施形態にかかる歯ブラシの側面図であり、説明の便宜上、柄、頸部、ヘッド、ブラシ部分が簡略して描かれている。歯ブラシは、長尺状の柄１と斜めに分岐した２つの頸部２ａ・２ｂがヘッド３ａ・３ｂに接続している。ヘッド３ａと３ｂの面にはブラシ４ａと４ｂが植毛されており、ヘッド・ブラシ部分はお互いに相対しており、特に好適には１８０°相対したものである。
【０００９】図２は、本発明の一実施形態にかかる歯ブラシの使用図であり、説明の便宜上、歯として下顎臼歯の縦断面における使用状態を表している。図中、５は下顎の歯茎で臼歯６の表側と裏側が同時にブラッシングされている。図には示してないが、下顎の前歯、上顎の前歯及び臼歯においても同様に歯の表側と裏側を同時にブラッシングできる。
【００１０】図３及び図４は、本発明の実施形態にかかる歯ブラシの植毛面図であり、説明の便宜上、図３は、角が丸くなった平行四辺形状の植毛面８に中心線９より斜めに１５個の植毛穴７が格子状に分布している様子を表しており、図４は、中心線１２より斜めに１６個の植毛穴１０が植毛面１１に格子状に分布している様子を表しているが、これらに限定されるものではない。
【００１１】ヘッド３ａ・３ｂと頸部２ａ・２ｂと柄１は、合成樹脂材料で一体成形されても良く、ヘッド３ａと頸部２ａを作り、別にヘッド３ｂと頸部２ｂを作り、それぞれにブラシ４ａ及び４ｂを植毛後、柄の部分を樹脂で一体化しても良い。また、互いに独立にヘッド３ａと頸部２ａと柄の前駆体を作り、ブラシ４ａを植毛し、別にヘッド３ｂと頸部３ｂと柄の前駆体を作り、ブラシ４ｂを植毛後、柄の部分を樹脂で一体化しても良い。柄の前駆体とは、柄の一部分を構成のもので、柄の大きさより小さく、樹脂で一体化できるものであれば良い。合成樹脂材料としては、例えば、ポリアセタール樹脂、ポリエチレンテレフタレート、ポリブチレンテレフタレート、ポリエチレン、ポリプロピレン、ポリカボネート、ポリオキシエチレン、スチレン・アクリロニトリル樹脂、アクリロニトリル・ブタジエン・スチレン樹脂、セルロースプロピオネート、ポリアミド、ポリメチルメタクリレート、ポリアクリレートなどの合成樹脂材料を用いることができる。又、必要に応じて、これらの樹脂に、ラメ、顔料など添加してもよい。
【００１２】柄１の形及び長さ、幅、厚さに特に制限はないが、使用上使いやすいものが好まれ、好適には、柄の部分が長さ８〜１２ｃｍ、幅１〜１．５ｃｍであり、厚さ０．４〜２ｃｍであり、特に好適には、柄の部分が長さ１０〜１２ｃｍ、幅１〜１．５ｃｍであり、厚さ０．４〜２ｃｍである。また、滑り止めやフックなど引っ掛けるための貫通孔などをつけることができる。
【００１３】頸部２ａ・２ｂは、柄とヘッドをつなぐ部分で、柄から斜めに分岐して２つのヘッドに接続している。歯ブラシする上で使いやすければ、長さ、幅、厚さに制限はないが、好適には、斜めに分岐した頸部２ａ・２ｂが長さ１．５〜６ｃｍ、幅０．２〜０．８ｃｍ、厚さ０．２〜０．８ｃｍであり、特に好適には、斜めに分岐した頸部２ａ・２ｂが長さ１．５〜３ｃｍ、幅０．２〜０．５ｃｍ、厚さ０．２〜０．５ｃｍである。
【００１４】ヘッド３ａ・３ｂは、形に特に制限はないが、真円形、楕円形等の円形、角が丸くなった三角形、四角形（台形、長方形を含む）、平行四辺形、五角形、六角形等の多角形であり、好適には、中心線方向を長手とする楕円形、略長方形及び平行四辺形であり、特に好適には角が丸くなった平行四辺形である。ブラッシングする上で使いやすければ、ヘッド３ａ・３ｂの長さ、幅、厚さに制限はないが、好適には、長さ１．２〜４ｃｍ、幅０．５〜１．５ｃｍ、厚さ０．２〜０．８ｃｍであり、特に好適には、長さ１．２〜２．５ｃｍ、幅０．５〜１．５ｃｍ、厚さ０．２〜０．６ｃｍである。
【００１５】植毛穴７及び１０は、植毛面８及び１１にヘッドの中心線９及び１２から対称若しくは斜めに格子状に分布し、植毛穴の数は、ヘッドの大きさにより特に制限はないが、通常、１５穴（列で穴の数は、３・３・３・３・３である。）から３０穴（列で穴の数は、２・４・４・４・４・４・４・４である。）が好ましく、特に好適には、斜めに格子状に分布し、１５穴（列で穴の数は、３・３・３・３・３である。）から１６穴（列で穴の数は、４・４・４・４である。）である。その開口径は、用毛の種類等を勘案して決定でき、例えば、１〜１．５ｍｍが好ましく、特に１〜１．２ｍｍが好ましい。
【００１６】ブラシ４ａ・４ｂを構成する用毛としては、毛先に向かって漸次その径が小さくなる用毛（テーパー毛）、毛先の丸め部を除いて外径がほぼ同一である用毛（ストレート毛）が挙げられ、特に好適にはストレート毛である。ブラシ４ａ・４ｂ部分の長さは、植毛面から好適には０．５〜１．５ｃｍであり、特に好適には０．５〜０．８ｃｍである。
【００１７】用毛の材質は、例えば、ポリエチレンテレフタレート、ポリブチレンテレフタレート、ポリトリメチレンテレフタレート、ポリエチレンナフタレート、トリブチレンナフタレート等のポリエステル、６−１２ナイロン、６−１０ナイロン等のポリアミド、ポリエチレン、ポリプロピレン等のポリオレフィン、オレフィン系エラストマー、スチレン系エラストマー等の樹脂を用いることができる。これらの樹脂は、１種単独で又は２種以上を組み合わせて用いてもよく、中でも、コシを強くでき、歯垢の取り除き性が良い点で、ナイロン及び複数のポリエステル混合物が好ましい。
【００１８】用毛の横断面形状は、特に限定されず、歯ブラシの目的用途に応じて、例えば、真円形、楕円形等の円形、三角形、四角形、五角形、六角形等の多角形、星形、クローバー形等の形状とすることができる。
【００１９】用毛の太さは、特に限定さないが、好適には、例えば、４〜８ｍｉｌ（１ｍｉｌ＝１／１０００ｉｎｃｈ＝０．０２５ｍｍ）であり、特に好適には７〜８ｍｉｌである。なお、ブラシ４ａ・４ｂを構成する用毛は、すべてが同じ太さであってもよく，２種以上の異なる太さの用毛を組み合わせてもよい。例えば、１５穴の場合、外側の５つの穴を７ｍｉｌで植毛し、内側の１０穴を８ｍｉｌで植毛しても良い。
【００２０】植毛は、従来公知の平線式植毛装置を用いても製造できる。例えば、射出成形により植毛面８及び１１に植毛穴７及び１０が格子状に形成されたヘッドに、平線式植毛装置を用いて毛束を植設する。１本の毛束あたりの用毛の本数に特に制限はないが、好適には１０〜５０本、特に好適には、１０〜３０本である。
【００２１】用毛したブラシ４ａとブラシ４ｂの間隔は、重ならなければ特に制限はないが、前歯や臼歯の表側と裏側を磨くのに相対するお互いのブラシの毛先部分の間隔は、好適には０．０〜１ｃｍであり、特に好適には０．１〜０．３ｃｍである。
【実施例】
【００２２】以下、本発明の実施例について説明するが、本発明は以下の記載によって限定されるものではない。
【実施例１】
【００２３】樹脂にポリプロピレン（製品名：出光ポリプロピレン、出光石油化学株式会社製）を用いて、図１に示すヘッド３ａと頸部２ａと柄の部分と別にヘッド３ｂと頸部２ｂと柄の部分を別々射出成形し、ヘッドが長さ１．３ｃｍ、幅０．８ｃｍ、厚さ０．４ｃｍ、頸部が長さ２．０ｃｍ、幅０．５ｃｍ、厚さ０．４ｃｍ、柄が長さ８ｃｍ、幅０．５ｃｍ、厚さ０．４ｃｍの植毛されていない２本の歯ブラシ基台を得た。次いで、用毛にナイロンストレート毛（７．２ｍｉｌ）を用いて、図３に示すように角が丸くなった平行四辺形状の植毛面にある、１５個の植毛穴に１本の毛束当たりの用毛の本数２０本を植毛し、２本の歯ブラシを得た。ブラシ４ａ・４ｂ部分の長さは、植毛面から０．６ｃｍであった。２本の歯ブラシを柄の部分を樹脂で一体化するため２次の射出成形し、柄が長さ１１ｃｍ、幅１．２ｃｍ、厚さ０．８ｃｍの歯ブラシを得た。お互いのブラシの毛先部分の間隔が、０．３ｃｍであった。
【実施例２】
【００２４】樹脂にポリプロピレン（製品名：出光ポリプロピレン、出光石油化学株式会社製）を用いて、図１に示すヘッド３ａと頸部２ａと柄の部分と別にヘッド３ｂと頸部２ｂと柄の部分を別々射出成形し、ヘッドが長さ１．５ｃｍ、幅１．２ｃｍ、厚さ０．４ｃｍ、頸部が長さ２．０ｃｍ、幅０．５ｃｍ、厚さ０．４ｃｍ、柄が長さ８ｃｍ、幅０．５ｃｍ、厚さ０．４ｃｍの植毛されていない２本の歯ブラシ基台を得た。次いで、用毛にナイロンストレート毛（７．２ｍｉｌ）を用いて、図４に示す角が丸くなった平行四辺形状の植毛面にある、１６個の植毛穴に１本の毛束当たりの用毛の本数２０本を植毛し、２本の歯ブラシを得た。ブラシ４ａ・４ｂ部分の長さは、植毛面から０．６ｃｍであった。２本の歯ブラシを柄の部分を樹脂で一体化するため２次の射出成形し、柄が長さ１１ｃｍ、幅１．２ｃｍ、厚さ１．０ｃｍ歯ブラシを得た。お互いのブラシの毛先部分の間隔が、０．１ｃｍであった。
【実施例３】
【００２５】樹脂にポリプロピレン（製品名：出光ポリプロピレン、出光石油化学株式会社製）を用いて、図１に示すヘッド３ａと頸部２ａと柄の部分と別にヘッド３ｂと頸部２ｂと柄の部分を別々射出成形し、ヘッドが長さ１．３ｃｍ、幅０．８ｃｍ、厚さ０．４ｃｍ、頸部が長さ２．０ｃｍ、幅０．５ｃｍ、厚さ０．４ｃｍ、柄が長さ８ｃｍ、幅０．５ｃｍ、厚さ０．４ｃｍの植毛されていない２本の歯ブラシ基台を得た。次いで、用毛にナイロンストレート毛（７．２ｍｉｌ）を用いて、図３に示すように角が丸くなった平行四辺形状の植毛面にある、１５個の植毛穴の外側の５穴に１本の毛束当たりの用毛の本数２０本を植毛し、ナイロンストレート毛（８ｍｉｌ）を残りの内側の１０穴に１本の毛束当たりの用毛の本数２０本を植毛し、２本の歯ブラシを得た。中心線上にある５穴の植毛部分の長さは、植毛面から０．５ｃｍであり、残りの１０穴の植毛部分の長さは、植毛面から０．６ｃｍであった。２本の歯ブラシを柄の部分を樹脂で一体化するため２次の射出成形し、柄が長さ１１ｃｍ、幅１．２ｃｍ、厚さ０．８ｃｍの歯ブラシを得た。お互いのブラシの毛先部分の間隔が、０．２〜０．３ｃｍであった。
【試験例】
【００２６】次に本発明の歯ブラシと従来の歯ブラシの比較試験を行った結果を示す。成人男子１名の被験者に黒ゴマ２．０ｇを１分間よく噛んで食べてもらった後、従来の歯ブラシと本発明の歯ブラシで上顎と下顎の歯に各々３０秒間の歯磨きテストを行い、黒ゴマの残存状態を目視観察して、食べ残しの除去効果を求めた。次いで、同一の被験者に赤色色素で染めた歯垢の残存状態を目視観察して歯垢除去効果を求めた。まず、被験者には、試験開始前２日間、歯磨きを中止させ、歯磨き前に歯垢を赤色に染色し、目視により歯磨き前のＰＣＲ（プラーク・コントロール・レコード）を測定すると約１００％であった。次に実施例１の歯ブラシを用いて上下顎各２分間、計４分間、歯磨きを行った。歯磨き終了後、再び同一被験者にて２日間、歯磨きを中止させ、同じ食事をしてもらい、まず歯磨き前に歯垢を赤色に染色し、目視により歯磨き前のＰＣＲを測定すると約１００％であった。市販の歯ブラシには、歯科用ＬＩＯＮ．ＤＥＮＴ．マキシマ  ＭＳ（ライオン株式会社製）を使用し、上下顎各２分間、計４分間、歯磨きを行った。これらの歯磨き前後のＰＣＲ測定結果を表に示した。
2015006297.tif 000003
【００２７】本発明の歯ブラシは、表側と裏側を同時に磨くことができるので、従来の歯ブラシに比べ、操作性が良く、限られた時間内に食べかすや歯垢を除去できる効率の良いものである。
【産業上の利用可能性】
【００２８】本発明の相対するツインヘッドの歯ブラシは、歯の裏表を短時間に同時に磨くのに効果的であり、子供や力の弱い高齢者や介護を必要とする人や身体障害者等にも容易に使用することができ、特別な歯磨き訓練を施すことなく、効果的な歯磨きを行うことができる。
【符号の説明】
【００２９】１                        柄
２ａ・２ｂ                頸部
３ａ・３ｂ                ヘッド
４ａ・４ｂ                ブラシ
５                        歯茎
６                        歯
８、１１                  植毛面
７，１０                  植毛穴
９，１２                  中心線
【図１】
2015006297.tif 000004
【図２】
2015006297.tif 000005
【図３】
2015006297.tif 000006
【図４】
2015006297.tif 000007